(57)【要約】【課題】外部からの操作で簡単にディスクを搬出でき、かつ、外部からの操作によるディスクの搬入を防止できるディスク装置を提供すること。【解決手段】ディスク装置のケースに、ディスクの記録面と直交する方向からドライバ９を挿入可能な操作孔と、同軸上に配置されたウォームホイール４７およびワンウェイクラッチ４５とを設けている。ウォームホイール４７に、被付勢部４７４を設けている。ワンウェイクラッチ４５に、被付勢部４７４を搬出回転方向Ｄ２のみに付勢する付勢部４５７と、搬出回転方向Ｄ２側の端部が搬入回転方向Ｄ１側の端部よりもドライバ９の挿入方向側に位置するように傾斜する傾斜部４５８とを設けている。【選択図】図８
2011238318.tif 000002
【特許請求の範囲】
【請求項１】
ディスクを収容可能なケースと、このケース内外にディスクを搬送する搬送手段と、この搬送手段を駆動させる搬送駆動手段と、を備えたディスク装置であって、
前記搬送駆動手段は、
モータと、
前記ケース内のディスクの記録面と略直交する回転軸を中心に回転し、前記モータの駆動力を前記搬送手段に伝達する歯車と、
この歯車と同軸上に回転可能に設けられたワンウェイクラッチと、を備え、
前記ケースには、前記ワンウェイクラッチを回転させるための操作部材を、当該ワンウェイクラッチの回転軸と平行な方向に挿入可能な操作孔が設けられ、
前記歯車には、被付勢部が設けられ、
前記ワンウェイクラッチには、前記被付勢部を付勢して、前記歯車を前記搬送手段でディスクを搬出させる搬出回転方向のみに回転させる付勢部が設けられ、
前記歯車と前記ワンウェイクラッチとのうちの少なくとも一方には、前記搬出回転方向側の端部が当該搬出回転方向と反対の搬入回転方向側の端部よりも、前記操作部材の挿入方向側に位置するような傾斜部が設けられている
ことを特徴とするディスク装置。
【請求項２】
請求項１に記載のディスク装置において、
前記搬送駆動手段を保持するとともに前記ケースに取り付けられる保持手段を備え、
前記保持手段には、内部に前記操作部材を挿入可能な保持筒部が設けられ、
前記ワンウェイクラッチには、中央から前記操作部材の抜き取り方向に突出し当該操作部材が係合する係合凸部と、この係合凸部の外側に位置し前記保持筒部の開口端で支持される被支持部と、が設けられている
ことを特徴とするディスク装置。
【請求項３】
請求項２に記載のディスク装置において、
前記歯車の中央には、前記操作部材の挿入方向に凹み前記ワンウェイクラッチと前記保持筒部が嵌め込まれる歯車凹部が設けられている
ことを特徴とするディスク装置。
【発明の詳細な説明】
【技術分野】
【０００１】
本発明は、ディスク装置に関する。
【背景技術】
【０００２】
従来、ＭＤ（Mini Disc）やＤＶＤ（Digital Versatile Disc）あるいはＢＤ（Blu-ray Disc）などの記録媒体のデータを処理するディスク装置が知られている。このようなディスク装置において、例えば電源の遮断により搬送手段が駆動しない場合でも、記録媒体を取り出すことができる構成が検討されている（例えば、特許文献１，２参照）。
【０００３】
特許文献１の構成では、先端部に十字の溝が形成されたウォームをローダの駆動機構に設けている。さらに、ケースにおける前記溝に対向する部位に、回転治具を挿入するための挿入孔を設けている。
そして、回転治具の操作によりウォームが回転すると、ディスクカートリッジが排出される構成が採られている。
【０００４】
特許文献２の構成では、ディスクを保持するホールドアッセンブリと、このホールドアッセンブリをマニュアルでイジェクトするマニュアルイジェクト機構とが設けられている。また、マニュアルイジェクト機構は、ローディング機構の歯車と噛み合うラック状のワンウェイクラッチと、このワンウェイクラッチを進退させるイジェクト部材とから構成されている。
そして、ケースの孔から挿入されるピンによりイジェクト部材が複数回押されると、ワンウェイクラッチが進退する。この進退により歯車が一方向のみに回転して、ディスクが排出される構成が採られている。
【０００５】
一方、近年、ディスク装置を有する表示装置などにおいて、ディスク再生時の立ち上がり時間を短縮することが望まれている。この要望を実現させるための構成としては、以下のようなものが考えられる。
すなわち、表示装置などの内部に搭載したメモリに、ディスクのデータの一部分を予め記憶させておく。そして、再生開始時には、まずメモリのデータを再生し、この再生の間に続きの部分をディスクから読み出して、連続して再生することが考えられる。
【先行技術文献】
【特許文献】
【０００６】
【特許文献１】特開平７−３２０３６６号公報
【特許文献２】特開２００４−２４６９６９号公報
【発明の概要】
【発明が解決しようとする課題】
【０００７】
ところで、上記のようなメモリを搭載した構成でも、搬送手段が駆動しないときにディスクを取り出せるように、特許文献１，２のような構成を適用することが考えられる。
しかしながら、特許文献１の構成では、回転治具をウォームの溝に直接係合させるため、ウォームを両方向に回転させることができ、ディスクの出し入れが可能となる。このため、ディスクが入れ替えられてしまった場合、メモリで再生される内容と、ディスクで再生される続きの内容とが異なってしまう。
また、特許文献２のような構成では、イジェクト部材をピンで複数回押す必要があり、ピンを引いたり押している間に孔から抜けてしまうおそれがある。
【０００８】
本発明は、外部からの操作で簡単にディスクを搬出でき、かつ、外部からの操作によるディスクの搬入を防止できるディスク装置を提供することを１つの目的とする。
【課題を解決するための手段】
【０００９】
請求項１に記載の発明は、ディスクを収容可能なケースと、このケース内外にディスクを搬送する搬送手段と、この搬送手段を駆動させる搬送駆動手段と、を備えたディスク装置であって、前記搬送駆動手段は、モータと、前記ケース内のディスクの記録面と略直交する回転軸を中心に回転し、前記モータの駆動力を前記搬送手段に伝達する歯車と、この歯車と同軸上に回転可能に設けられたワンウェイクラッチと、を備え、前記ケースには、前記ワンウェイクラッチを回転させるための操作部材を、当該ワンウェイクラッチの回転軸と平行な方向に挿入可能な操作孔が設けられ、前記歯車には、被付勢部が設けられ、前記ワンウェイクラッチには、前記被付勢部を付勢して、前記歯車を前記搬送手段でディスクを搬出させる搬出回転方向のみに回転させる付勢部が設けられ、前記歯車と前記ワンウェイクラッチとのうちの少なくとも一方には、前記搬出回転方向側の端部が当該搬出回転方向と反対の搬入回転方向側の端部よりも、前記操作部材の挿入方向側に位置するような傾斜部が設けられていることを特徴とするディスク装置である。
【図面の簡単な説明】
【００１０】
【図１】本発明の一実施形態に係る録画再生表示装置を背面側から見た斜視図。
【図２】前記一実施形態における録画再生表示装置の概略構成を示すブロック図。
【図３】前記一実施形態におけるディスクの未搬入状態でのディスク装置の内部構成を示す平面図。
【図４】前記一実施形態におけるディスクの搬送途中状態でのディスク装置の内部構成を示す平面図。
【図５】前記一実施形態におけるディスクの搬入完了状態でのディスク装置の内部構成を示す平面図。
【図６】前記一実施形態における駆動ユニットを上側から見たときの分解斜視図。
【図７】前記一実施形態における駆動ユニットを下側から見たときの分解斜視図。
【図８】前記一実施形態における駆動ユニットの要部の縦断面図。
【図９】前記一実施形態におけるワンウェイクラッチのクラッチ凸部とウォームホイールの被付勢部との位置関係を示す概念図。
【図１０】図９のX−X線に沿った断面図であり、ワンウェイクラッチを搬出回転方向に回転させるときの状態を表す。
【図１１】図１０に対応する断面図であり、ワンウェイクラッチを搬入回転方向に回転させるときの状態を表す。
【図１２】本発明の変形例を示す図であり、図９のX−X線に沿った断面図に対応する。
【図１３】本発明の他の変形例を示す図であり、図９のX−X線に沿った断面図に対応する。
【発明を実施するための形態】
【００１１】
以下、本発明の一実施形態について説明する。
なお、本実施形態では、テレビジョン放送（ＴＶ放送）の表示機能、ＢＤまたはＤＶＤへのＴＶ放送の録画機能、ＢＤまたはＤＶＤに記録されたデータ（ＴＶ放送やコンテンツ）の再生機能を有する録画再生表示装置を例示して説明する。
【００１２】
［録画再生表示装置の概略構成］
まず、録画再生表示装置の概略構成について説明する。
図１は、録画再生表示装置を背面側から見た斜視図である。図２は、録画再生表示装置の概略構成を示すブロック図である。
図１および図２に示すように、録画再生表示装置１は、ディスク装置２と、表示装置５とを備えている。
【００１３】
ディスク装置２は、図１に示すように、ディスク挿通孔２１１からディスク１０（ＢＤまたはＤＶＤ）を収容可能な薄箱状のケース２１を備えている。このケース２１の底面部２１２には、操作部材としてのドライバ９をディスク１０の記録面と直交する方向に挿入可能な操作孔２１３が設けられている。そして、ケース２１には、ドライバ９の操作により、ディスク１０を取り出すことを許容するが、入れることを防止する搬送駆動手段４０が設けられている。なお、搬送駆動手段４０の詳細な構成については、後述する。
【００１４】
また、ケース２１には、図２に示すように、データ処理手段２２１と、搬送制御手段２２２とを有するディスク制御手段２２が設けられている。
データ処理手段２２１は、後述するディスク処理手段２５を制御して、ディスク１０から読み出したデータを表示装置５へ出力する。また、搬送制御手段２２２は、搬送駆動手段４０を制御して、ディスク１０をケース２１の内外へ搬送する。
なお、ディスク装置２の詳細な構成については、後述する。
【００１５】
表示装置５は、図１に示すように、薄箱状の表示本体５１を備えている。この表示本体５１の背面には、ディスク装置２が取り付けられている。具体的に、ディスク挿通孔２１１が正面に向かって右側に位置し、かつ、操作孔２１３が表示本体５１の背面側に露出するように、取り付けられている。そして、ディスク装置２は、通常の使用状態では、図示しない化粧カバーにより外部から見えないようになっている。
【００１６】
また、表示本体５１内には、図２に示すように、表示本体５１の一部から露出する図示しない表示面を有する表示手段５２と、メモリ５３と、ディスク１０のデータ再生を制御する再生制御手段５４とが設けられている。
再生制御手段５４は、ディスク装置２に装着されたディスク１０のデータの一部分、具体的に、データ再生時に最初に再生される部分（以下、再生時メモリ記憶部分という）をメモリ５３に記憶させる。この再生時メモリ記憶部分の長さは、ディスク１０からのデータの読み出しを開始してから、表示手段５２で表示されるまでの時間よりも、長く設定されている。
【００１７】
そして、再生制御手段５４は、ディスク１０の再生指令を認識すると、メモリ５３から再生時メモリ記憶部分を読み出して再生する。さらに、ディスク装置２のデータ処理手段２２１を制御して、再生時メモリ記憶部分の再生中に、この再生時メモリ記憶部分に続くデータをディスク１０から読み出させる。この後、再生時メモリ記憶部分の再生が終了すると、データ処理手段２２１で読み出させたデータを続けて再生する。以上の制御により、データの読み出し時間が比較的長いディスク１０を再生する場合でも、迅速な再生が可能となる。
【００１８】
なお、ディスク装置２および表示装置５には、ＴＶ放送の受信を制御する構成や、ディスク１０への録画を制御する構成などが設けられている。
【００１９】
［ディスク装置の概略構成］
次に、ディスク装置２の概略構成について説明する。
図３は、ディスクの未搬入状態でのディスク装置の内部構成を示す平面図である。図４は、ディスクの搬送途中状態でのディスク装置の内部構成を示す平面図である。図５は、ディスクの搬入完了状態でのディスク装置の内部構成を示す平面図である。
【００２０】
ディスク装置２のケース２１内には、図３に示すように、ディスク１０からデータを読み出したりするディスク処理手段２５と、ケース２１内外にディスク１０を搬送する搬送手段３０と、この搬送手段３０を駆動させる搬送駆動手段４０とが設けられている。
【００２１】
ディスク処理手段２５は、固定部２５１を介してケース２１に取り付けられた枠状の台座部２５２を有している。また、台座部２５２の端部には、ディスク１０を着脱自在に保持して回転させるターンテーブル２５３が設けられている。さらに、台座部２５２には、ターンテーブル２５３に対して進退して、ディスク１０のデータを読み出したりディスク１０にデータを記録するピックアップ２５４が設けられている。
なお、ケース２１には、搬送駆動手段４０の駆動に伴い、ディスク１０をターンテーブル２５３に装着する装着位置と、この装着位置よりも底面部２１２側の待機位置との間において、台座部２５２を回動させるための図示しない台座リンク機構が設けられている。
【００２２】
搬送手段３０は、ケース２１における上面視での右側かつディスク挿通孔２１１近傍に設けられたローディングアーム３１と、このローディングアーム３１の左側に設けられたサブローディングアーム３２と、ローディングアーム３１の回動に伴いサブローディングアーム３２を回動させるローディングリンク機構３３と、サブローディングアーム３２の奥側（図３の上側）に設けられた第１イジェクトアーム３４と、ローディングアーム３１の奥側に設けられた第２イジェクトアーム３５とを備えている。また、ケース２１には、搬送駆動手段４０の駆動に伴い、第１，第２イジェクトアーム３４，３５を回動させるための図示しないイジェクトアームリンク機構が設けられている。
【００２３】
ローディングアーム３１は、回動軸部３１１を中心に回動可能に設けられている。このローディングアーム３１の回動先端側および回動基端側には、ディスク１０の外縁に当接して回転することで、ディスク１０をケース内外に搬送する搬送ローラ３１２がそれぞれ設けられている。さらに、ローディングアーム３１には、搬送駆動手段４０の駆動に伴い、当該ローディングアーム３１を回動させたり、搬送ローラ３１２を回転させたりするための複数のアームギア３１３が設けられている。
【００２４】
サブローディングアーム３２および第１，第２イジェクトアーム３４，３５は、回動軸部３２１，３４１，３５１を中心に回動可能に設けられている。サブローディングアーム３２の回動先端側および回動基端側、第１，第２イジェクトアーム３４，３５の回動先端側には、ディスク１０の外縁に当接するディスク当接部３２２，３４２，３５２が設けられている。
【００２５】
搬送駆動手段４０は、駆動ユニット４１と、複数の動力伝達ギア４０１とを備えている。
駆動ユニット４１は、モータ４３と、複数の動力伝達ギア４０１のうちの一つに噛み合うユニットギア４４と、モータ４３の駆動をユニットギア４４に伝達するウォームホイール４７とを少なくとも備えている。なお、駆動ユニット４１の詳細な構成については、後述する。
動力伝達ギア４０１は、ユニットギア４４の回転に伴う動力をサブローディングアーム３２と、台座リンク機構と、イジェクトアームリンク機構とに伝達する。
そして、ウォームホイール４７が搬入回転方向Ｄ１（図３の時計回り方向）に回転すると、搬送手段３０がディスク１０をケース２１に搬入するように動作し、搬出回転方向Ｄ２（図３の反時計回り方向）に回転すると、ディスク１０をケース２１から搬出するように動作する。
【００２６】
具体的に、図３に示すような未搬入状態において、ウォームホイール４７が搬入回転方向Ｄ１に回転すると、搬送ローラ３１２がディスク１０をケース２１内に引き込む方向に回転するとともに、各アーム３１，３２，３４，３５が奥側に回動する。そして、図４に示すような搬送途中状態を経て、ディスク１０全体がケース２１内に収容されると、台座部２５２が待機位置から装着位置まで回動して、ディスク１０がターンテーブル２５３に装着されるとともに、ディスク１０から各アーム３１，３２，３４，３５が離れ、図５に示すような搬入完了状態となる。
一方、図５に示すような搬入完了状態において、ウォームホイール４７が搬出回転方向Ｄ２に回転すると、台座部２５２、各アーム３１，３２，３４，３５は、搬入時と逆の方向に回動し、ディスク１０が図３に示すように搬出される。
【００２７】
［駆動ユニットの詳細な構成］
次に、駆動ユニット４１の詳細な構成について説明する。
図６は、駆動ユニットを上側から見たときの分解斜視図である。図７は、駆動ユニットを下側から見たときの分解斜視図である。図８は、駆動ユニットの要部の縦断面図である。図９は、ワンウェイクラッチのクラッチ凸部とウォームホイールの被付勢部との位置関係を示す概念図である。図１０は、図９のX−X線に沿った断面図であり、ワンウェイクラッチを搬出回転方向に回転させるときの状態を表す。
なお、以下において、各構成の位置関係を説明する場合、図６における上側、下側、右斜め下側、左斜め上側、左斜め下側、右斜め上側を、それぞれ上、下、右、左、手前、奥として説明する。
【００２８】
図６〜図８に示すように、駆動ユニット４１は、例えば樹脂で形成された保持手段４２を備えている。
この保持手段４２は、略四角板状のギア配置部４２１を備えている。ギア配置部４２１の一面には、隅部から円筒状に突出する第１配置筒部４２２が設けられている。さらに、この第１配置筒部４２２の左には、保持筒部としての円筒状の第２配置筒部４２３が設けられている。この第２配置筒部４２３は、内部にドライバ９が挿通可能な形状に形成されている。
また、ギア配置部４２１の左には、モータ配置部４２４が設けられている。
さらに、保持手段４２には、後述するユニットカバー４９を固定するための一対の固定爪部４２５（一方は不図示）と、ユニットカバー４９を位置決めするための一対の位置決め凸部４２６が設けられている。
【００２９】
また、保持手段４２のモータ配置部４２４には、モータ４３が配置されている。このモータ４３は、回転軸４３１に設けられたウォーム４３２が、第２配置筒部４２３の奥側において右に延びるように配置されている。
【００３０】
さらに、保持手段４２の第１配置筒部４２２には、例えば樹脂製のユニットギア４４が配置されている。このユニットギア４４は、内部に第１配置筒部４２２が嵌め込まれる円筒状のギア本体４４１を備えている。このギア本体４４１の上下方向中央には、大径ギア４４２が設けられている。さらに、大径ギア４４２の上には、動力伝達ギア４０１に噛み合う小径ギア４４３が設けられている。
【００３１】
また、保持手段４２の第２配置筒部４２３には、例えば樹脂製のワンウェイクラッチ４５が配置されている。このワンウェイクラッチ４５は、外径が第２配置筒部４２３の外径と同じ円板状のクラッチ本体４５１を備えている。
クラッチ本体４５１の下面には、中央から下に突出する４個の係合凸部４５２が設けられている。この係合凸部４５２は、クラッチ本体４５１の円周方向に沿って、かつ、十字状のドライバ係合凹部４５３が形成されるように、間隔を開けて設けられている。なお、ドライバ係合凹部４５３には、下からドライバ９のドライバ係合部９１が係合する。
【００３２】
一方、クラッチ本体４５１の上面４５５には、図９および図１０にも示すように、円周方向に沿った円弧状のクラッチ凸部４５６が２個設けられている。このクラッチ凸部４５６は、図１０にも示すように、クラッチ本体４５１の上面４５５と直交する平面状の付勢部４５７を備えている。また、クラッチ凸部４５６は、付勢部４５７の上端から、ウォームホイール４７の搬出回転方向Ｄ２に向かうにしたがって、上面４５５に近づくように傾斜する傾斜部４５８が設けられている。すなわち、傾斜部４５８は、搬出回転方向Ｄ２側の端部が、搬入回転方向Ｄ１側の端部よりも、ドライバ９の挿入方向側である上側に位置するように形成されている。
【００３３】
そして、ワンウェイクラッチ４５は、係合凸部４５２の外側の部分である被支持部４５４において、第２配置筒部４２３の開口縁に支持される。
【００３４】
さらに、保持手段４２の第２配置筒部４２３には、図６〜図８に示すように、例えば樹脂製の歯車としてのウォームホイール４７が配置されている。このウォームホイール４７は、内部に第２配置筒部４２３およびワンウェイクラッチ４５が嵌め込まれる歯車凹部としてのホイール本体４７１を備えている。このホイール本体４７１は、上端がホイール上面部４７２で閉塞された円筒状に形成されている。そして、ホイール本体４７１の下端からホイール上面部４７２までの寸法は、ワンウェイクラッチ４５が上下に移動可能な大きさに設定されている。
【００３５】
また、ホイール上面部４７２の上面には、ユニットカバー４９によりウォームホイール４７を回転可能に位置決めするための位置決め凸部４７３が設けられている。さらに、ホイール上面部４７２の下面には、図９および図１０にも示すように、四角状に突出する被付勢部４７４が２個設けられている。この被付勢部４７４は、ホイール上面部４７２の中心に対して点対称に設けられている。
【００３６】
また、ホイール本体４７１の上下方向中央には、図６〜図８に示すように、ウォーム４３２に噛み合う大径ギア４７５が設けられている。さらに、大径ギア４７５の下には、ユニットギア４４の大径ギア４４２に噛み合う小径ギア４７６が設けられている。
【００３７】
ユニットカバー４９は、例えば金属により形成され、ギア配置部４２１を覆うように、ねじ４９１により保持手段４２に取り付けられる。
【００３８】
［録画再生表示装置の動作］
次に、録画再生表示装置１の動作として、モータ４３が駆動する場合、および、モータ４３が駆動しない場合のディスクの搬送について説明する。
図１１は、図１０に対応する断面図であり、ワンウェイクラッチを搬入回転方向に回転させるときの状態を表す。
【００３９】
〔モータが駆動する場合のディスクの搬送について〕
モータ４３が駆動する状態でディスク１０を搬入する場合、ディスク装置２の搬送制御手段２２２は、図３に示すように、ユーザによりディスク１０の一部がケース２１に挿入されたことを検出すると、ウォームホイール４７を搬入回転方向Ｄ１に回転させるようにモータ４３を駆動させる。そして、搬送制御手段２２２は、図５に示す搬入完了状態となったことを検出すると、モータ４３の駆動を終了させる。
一方、ディスク１０を搬出する場合、搬送制御手段２２２は、モータ４３を搬出回転方向Ｄ２に回転させ、図３に示す未搬入状態になったことを検出すると、モータ４３の駆動を終了させる。
【００４０】
〔モータが駆動しない場合のディスクの搬送について〕
例えば電気系統のトラブルなどによりモータ４３が駆動しない状態において、例えばサービスマンは、ドライバ９の操作によりケース２１内のディスク１０を搬出することができる。
具体的に、サービスマンは、図１に示すように、ドライバ９をケース２１の操作孔２１３および駆動ユニット４１の第２配置筒部４２３に挿入する。さらに、ドライバ係合部９１をワンウェイクラッチ４５のドライバ係合凹部４５３に係合させるとともに、図１０の一点鎖線に示すように、クラッチ凸部４５６がホイール上面部４７２に接触するまでワンウェイクラッチ４５を押し込む。そして、サービスマンは、ドライバ９によりワンウェイクラッチ４５を搬出回転方向Ｄ２に回転させる。
ワンウェイクラッチ４５が搬出回転方向Ｄ２に回転すると、付勢部４５７が被付勢部４７４に近づいて当接する。そして、ワンウェイクラッチ４５がさらに搬出回転方向Ｄ２に回転すると、被付勢部４７４が付勢部４５７で付勢されて、ウォームホイール４７がワンウェイクラッチ４５とともに搬出回転方向Ｄ２に回転する。その結果、上述したように搬送手段３０が動作して、ディスク１０が搬出される。
【００４１】
一方、モータ４３が駆動しない状態では、サービスマンは、ケース２１にディスク１０を搬入することができない。
具体的に、サービスマンがドライバ９でワンウェイクラッチ４５を押し込んだ後、図１１に示すように、搬入回転方向Ｄ１に回転させると、傾斜部４５８が被付勢部４７４に近づいて当接する。そして、ワンウェイクラッチ４５がさらに搬入回転方向Ｄ１に回転すると、被付勢部４７４と傾斜部４５８との当接部分が傾斜部４５８の傾斜に沿って徐々に移動するだけで、被付勢部４７４がクラッチ凸部４５６で付勢されない。このため、ウォームホイール４７が回転せずに、ワンウェイクラッチ４５のみが搬入回転方向Ｄ１に回転し、その結果、上述したように搬送手段３０が動作せず、ディスク１０が搬入されない。
【００４２】
［実施形態の作用効果］
上述したように、上記実施形態では、以下のような作用効果を奏することができる。
（１）ディスク装置２のケース２１に、ディスク１０の記録面と直交する方向からドライバ９を挿入可能な操作孔２１３と、同軸上に配置されたウォームホイール４７およびワンウェイクラッチ４５とを設けている。そして、ウォームホイール４７に、被付勢部４７４を設けている。さらに、ワンウェイクラッチ４５に、被付勢部４７４を搬出回転方向Ｄ２のみに付勢する付勢部４５７と、搬出回転方向Ｄ２側の端部が搬入回転方向Ｄ１側の端部よりもドライバ９の挿入方向側に位置するように傾斜する傾斜部４５８とを設けている。
このため、サービスマンは、ドライバ９による操作でワンウェイクラッチ４５を搬出回転方向Ｄ２に回転させることにより、ウォームホイール４７も搬出回転方向Ｄ２に回転させることができ、ディスク１０をケース２１から取り出すことができる。一方、ワンウェイクラッチ４５を搬入回転方向Ｄ１に回転させたときには、ウォームホイール４７を搬入回転方向Ｄ１に回転させることができず、ディスク１０をケース２１に入れることができない。さらに、ドライバ９を引いたり押したりする必要がなく、簡単な操作でディスク１０を出すことができる。
【００４３】
（２）ワンウェイクラッチ４５に、ドライバ係合部９１が係合する係合凸部４５２をクラッチ本体４５１の下面から突出するように設けている。そして、係合凸部４５２の外側に設けられた被支持部４５４を、第２配置筒部４２３の開口縁で支持させる構成としている。
このため、駆動ユニット４１の製造時に、ワンウェイクラッチ４５を第２配置筒部４２３に仮置きしても、位置ずれすることがない。したがって、製造時の作業性を向上できる。
【００４４】
（３）ウォームホイール４７のホイール本体４７１の内部に、ワンウェイクラッチ４５と第２配置筒部４２３を嵌め込むことができる構成としている。
このため、駆動ユニット４１の厚さ寸法を最小限に設定することができ、ディスク装置２の薄型化を容易に図れる。
【００４５】
［変形例］
なお、本発明は前述の一実施形態に限定されるものではなく、本発明の目的を達成できる範囲での変形、改良などは本発明に含まれるものである。
すなわち、係合凸部４５２をクラッチ本体４５１の下面から突出させなくてもよい。
さらに、ウォームホイール４７内にワンウェイクラッチ４５を嵌め込む構成とせずに、ワンウェイクラッチ４５の上にウォームホイール４７を配置する構成とし、ウォームホイール４７の下面に被付勢部４７４を設けてもよい。
そして、ワンウェイクラッチ４５をホイール上面部４７２から離す方向に付勢し、かつ、ドライバ９によりワンウェイクラッチ４５をホイール上面部４７２に押し付けることができるような付勢力の付勢部を設けてもよい。このような構成にすれば、ドライバ９で操作を行わないときには、ワンウェイクラッチ４５をホイール上面部４７２から離すことができ、モータ４３が駆動する場合には、ウォームホイール４７のみを確実に回転させることができる。
【００４６】
また、図１２や図１３に示すような駆動ユニットを適用してもよい。
この図１２に示す駆動ユニットと上記実施形態の駆動ユニット４１との相違点は、ワンウェイクラッチ４５Ａにクラッチ凸部４５６の代わりにクラッチ凹部４５６Ａを設けたことである。具体的に、クラッチ凹部４５６Ａは、上面４５５と直交する平面状の付勢部４５７Ａと、搬出回転方向Ｄ２側の端部が搬入回転方向Ｄ１側の端部よりも上側に位置するように傾斜する傾斜部４５８Ａとを備えている。
【００４７】
一方、図１３に示す駆動ユニットと上記実施形態の駆動ユニット４１との相違点は、ワンウェイクラッチ４５Ｂにクラッチ凸部４５６の代わりにクラッチ凹部４５６Ｂを設けたことと、被付勢部４７４の代わりにホイール凸部４７７Ｂを設けたことである。
具体的に、クラッチ凹部４５６Ｂは、上面４５５と直交する平面状の付勢部４５７Ｂを備えている。一方、ホイール凸部４７７Ｂは、ホイール上面部４７２と直交する平面状の被付勢部４７４Ｂと、搬出回転方向Ｄ２側の端部が搬入回転方向Ｄ１側の端部よりも上側に位置するように傾斜する傾斜部４７８Ｂとを備えている。
【００４８】
以上の図１２，図１３に示すような構成でも、サービスマンは、ドライバ９でワンウェイクラッチ４５Ａ，４５Ｂを搬出回転方向Ｄ２に回転させることにより、付勢部４５７Ａ，４５７Ｂで被付勢部４７４，４７４Ｂを付勢できる。したがって、ウォームホイール４７，４７Ｂも搬出回転方向Ｄ２に回転させることができ、ディスク１０をケース２１から取り出すことができる。
一方、ワンウェイクラッチ４５Ａを搬入回転方向Ｄ１に回転させたときには、被付勢部４７４と傾斜部４５８Ａとの当接部分が傾斜部４５８Ａの傾斜に沿って徐々に移動するだけで、被付勢部４７４がクラッチ凹部４５６Ａで付勢されない。また、ワンウェイクラッチ４５Ｂを搬入回転方向Ｄ１に回転させたときには、傾斜部４７８Ｂとクラッチ凹部４５６Ｂとの当接部分が傾斜部４７８Ｂの傾斜に沿って徐々に移動するだけで、ホイール凸部４７７Ｂがクラッチ凹部４５６Ｂで付勢されない。その結果、ウォームホイール４７，４７Ｂを搬入回転方向Ｄ１に回転させることができず、ディスク１０をケース２１に入れることができない。
【００４９】
そして、ディスク装置２は、録画機能または再生機能を有さなくてもよいし、ＣＤあるいはＭＤのコンテンツの録画機能や再生機能を有するものであってもよい。
【符号の説明】
【００５０】
２…ディスク装置
９…操作部材としてのドライバ
１０…ディスク
２１…ケース
３０…搬送手段
４０…搬送駆動手段
４２…保持手段
４３…モータ
４５…ワンウェイクラッチ
４７…歯車としてのウォームホイール
２１３…操作孔
４２３…保持筒部としての第２配置筒部
４５２…係合凸部
４５４…被支持部
４５７，４５７Ａ，４５７Ｂ…付勢部
４５８，４５８Ａ，４７８Ｂ…傾斜部
４７１…歯車凹部としてのホイール本体
４７４，４７４Ｂ…被付勢部
Ｄ１…搬入回転方向
Ｄ２…搬出回転方向
【図１】
2011238318.tif 000003
【図２】
2011238318.tif 000004
【図３】
2011238318.tif 000005
【図４】
2011238318.tif 000006
【図５】
2011238318.tif 000007
【図６】
2011238318.tif 000008
【図７】
2011238318.tif 000009
【図８】
2011238318.tif 000010
【図９】
2011238318.tif 000011
【図１０】
2011238318.tif 000012
【図１１】
2011238318.tif 000013
【図１２】
2011238318.tif 000014
【図１３】
2011238318.tif 000015